(57)【要約】【課題】不感地を考慮した最適化制御を可能にする無線パラメータ制御方法および装置、ネットワーク運用管理装置ならびに無線基地局を提供する。【解決手段】無線基地局（２０）の無線パラメータを制御する無線パラメータ制御装置（１０）は、アイドル状態の無線端末を含む複数の無線端末で測定されたデータを分析して無線セル内の不感地を検出する測定データ分析部（１０１）と、不感地に関する情報に基づいて無線基地局の無線パラメータを制御する無線パラメータ制御部（１０２）と、を有する。【選択図】図２
2014162711.tif 000002
【特許請求の範囲】
【請求項１】
無線基地局の無線パラメータを制御する無線パラメータ制御装置であって、
アイドル状態の無線端末を含む複数の無線端末で測定されたデータを分析して前記無線基地局が制御する無線セル内の不感地を検出する測定データ分析手段と、
前記不感地に関する情報に基づいて前記無線基地局の無線パラメータを制御する制御手段と、
を有することを特徴とする無線パラメータ制御装置。
【請求項２】
前記無線パラメータを変更したときの前記無線セルにおける無線品質を推定する推定手段を更に有し、前記制御手段は前記推定された無線品質に基づいて前記無線パラメータの変更値を決定することを特徴とする請求項１に記載の無線パラメータ制御装置。
【請求項３】
前記制御手段は前記不感地に関する情報に基づいて少なくとも１つの無線パラメータ変更候補値を生成し、
前記推定手段は前記無線パラメータ変更候補値について無線品質を推定し、
前記制御手段は前記推定された無線品質に基づいて前記無線パラメータの変更値を決定する、
ことを特徴とする請求項２に記載の無線パラメータ制御装置。
【請求項４】
前記測定データ分析手段は前記測定データを用いて前記不感地の地理的特性を検出することを特徴とする請求項１−３のいずれか１項に記載の無線パラメータ制御装置。
【請求項５】
前記不感地の地理的特性は前記不感地の位置情報および／または前記不感地の大きさであることを特徴とする請求項４に記載の無線パラメータ制御装置。
【請求項６】
前記不感地の位置情報は、前記測定とは別の測定時刻に測定された位置情報を用いて特定することを特徴とする請求項５に記載の無線パラメータ制御装置。
【請求項７】
前記不感地の大きさは前記無線端末が測定時間の中で前記不感地にいた時間の割合または前記無線セル全体の中での前記不感地の割合に基づく値であることを特徴とする請求項５に記載の無線パラメータ制御装置。
【請求項８】
前記制御手段は前記無線パラメータにより前記無線基地局の送信電力および／またはアンテナチルト角を制御することを特徴とする請求項１−７のいずれか１項に記載の無線パラメータ制御装置。
【請求項９】
無線基地局の無線パラメータを制御する方法であって、
測定データ分析手段が、アイドル状態の無線端末を含む複数の無線端末で測定されたデータを分析して前記無線基地局が制御する無線セル内の不感地を検出し、
制御手段が、前記不感地に関する情報に基づいて前記無線基地局の無線パラメータを制御する、
ことを特徴とする無線パラメータ制御方法。
【請求項１０】
推定手段が、前記無線パラメータを変更したときの前記無線セルにおける無線品質を推定し、
前記制御手段が、前記推定された無線品質に基づいて前記無線パラメータの変更値を決定する、
ことを特徴とする請求項９に記載の無線パラメータ制御方法。
【請求項１１】
前記制御手段が前記不感地に関する情報に基づいて少なくとも１つの無線パラメータ変更候補値を生成し、
前記推定手段が前記無線パラメータ変更候補値について無線品質を推定し、
前記制御手段が前記推定された無線品質に基づいて前記無線パラメータの変更値を決定する、
ことを特徴とする請求項１０に記載の無線パラメータ制御方法。
【請求項１２】
前記測定データ分析手段が前記測定データを用いて前記不感地の地理的特性を検出する、ことを特徴とする請求項９−１１のいずれか１項に記載の無線パラメータ制御方法。
【請求項１３】
前記不感地の地理的特性は、前記不感地の位置情報および／または前記不感地の大きさであることを特徴とする請求項１２に記載の無線パラメータ制御方法。
【請求項１４】
前記不感地の位置情報は、前記測定とは別の測定時刻に測定された位置情報を用いて特定することを特徴とする請求項１３に記載の無線パラメータ制御方法。
【請求項１５】
前記不感地の大きさは前記無線端末が測定時間の中で前記不感地にいた時間の割合または前記無線セル全体の中での前記不感地の割合に基づく値であることを特徴とする請求項１３に記載の無線パラメータ制御方法。
【請求項１６】
前記制御手段が前記無線パラメータにより前記無線基地局の送信電力および／またはアンテナチルト角を制御する、ことを特徴とする請求項９−１５いずれか１項に記載の無線パラメータ制御方法。
【請求項１７】
複数の無線基地局を管理するネットワーク運用管理装置であって、
無線基地局におけるアイドル状態の無線端末を含む複数の無線端末で測定されたデータを分析して前記無線基地局が制御する無線セル内の不感地を検出する測定データ分析手段と、
前記不感地に関する情報に基づいて前記無線基地局の無線パラメータを制御する制御手段と、
を有することを特徴とするネットワーク運用管理装置。
【請求項１８】
前記無線パラメータを変更したときの前記無線セルにおける無線品質を推定する推定手段を更に有し、前記制御手段は前記推定された無線品質に基づいて前記無線パラメータの変更値を決定することを特徴とする請求項１７に記載のネットワーク運用管理装置。
【請求項１９】
前記制御手段は前記不感地に関する情報に基づいて少なくとも１つの無線パラメータ変更候補値を生成し、
前記推定手段は前記無線パラメータ変更候補値について無線品質を推定し、
前記制御手段は前記推定された無線品質に基づいて前記無線パラメータの変更値を決定する、
ことを特徴とする請求項１８に記載のネットワーク運用管理装置。
【請求項２０】
前記測定データ分析手段は前記測定データを用いて前記不感地の地理的特性を検出することを特徴とする請求項１７−１９のいずれか１項に記載のネットワーク運用管理装置。
【請求項２１】
前記不感地の地理的特性は前記不感地の位置情報および／または前記不感地の大きさであることを特徴とする請求項２０に記載のネットワーク運用管理装置。
【請求項２２】
前記不感地の位置情報は、前記測定とは別の測定時刻に測定された位置情報を用いて特定することを特徴とする請求項２１に記載のネットワーク運用管理装置。
【請求項２３】
前記不感地の大きさは前記無線端末が測定時間の中で前記不感地にいた時間の割合または前記無線セル全体の中での前記不感地の割合に基づく値であることを特徴とする請求項２１に記載のネットワーク運用管理装置。
【請求項２４】
前記制御手段は前記無線パラメータにより前記無線基地局の送信電力および／またはアンテナチルト角を制御することを特徴とする請求項１７−２３のいずれか１項に記載のネットワーク運用管理装置。
【請求項２５】
無線セルを制御する無線基地局であって、
前記無線セル内のアイドル状態の無線端末を含む複数の無線端末で測定されたデータを分析し前記無線セル内の不感地を検出する測定データ分析手段と、
前記不感地に関する情報に基づいて自局の無線パラメータを制御する制御手段と、
を有することを特徴とする無線基地局。
【請求項２６】
前記無線パラメータを変更したときの前記無線セルにおける無線品質を推定する推定手段を更に有し、前記制御手段は前記推定された無線品質に基づいて前記無線パラメータの変更値を決定することを特徴とする請求項２５に記載の無線基地局。
【請求項２７】
前記制御手段は前記不感地に関する情報に基づいて少なくとも１つの無線パラメータ変更候補値を生成し、
前記推定手段は前記無線パラメータ変更候補値について無線品質を推定し、
前記制御手段は前記推定された無線品質に基づいて前記無線パラメータの変更値を決定する、
ことを特徴とする請求項２６に記載の無線基地局。
【請求項２８】
前記測定データ分析手段は前記測定データを用いて前記不感地の地理的特性を検出することを特徴とする請求項２５−２７のいずれか１項に記載の無線基地局。
【請求項２９】
前記不感地の地理的特性は前記不感地の位置情報および／または前記不感地の大きさであることを特徴とする請求項２８に記載の無線基地局。
【請求項３０】
前記不感地の位置情報は、前記測定とは別の測定時刻に測定された位置情報を用いて特定することを特徴とする請求項２９に記載の無線基地局。
【請求項３１】
前記不感地の大きさは前記無線端末が測定時間の中で前記不感地にいた時間の割合または前記無線セル全体の中での前記不感地の割合に基づく値であることを特徴とする請求項２９に記載の無線基地局。
【請求項３２】
前記制御手段は前記無線パラメータにより前記無線基地局の送信電力および／またはアンテナチルト角を制御することを特徴とする請求項２５−３１のいずれか１項に記載の無線基地局。
【請求項３３】
無線基地局の無線パラメータを制御する無線パラメータ制御装置としてコンピュータを機能させるプログラムであって、
アイドル状態の無線端末を含む複数の無線端末で測定されたデータを分析して前記無線基地局が制御する無線セル内の不感地を検出する測定データ分析機能と、
前記不感地に関する情報に基づいて前記無線基地局の無線パラメータを制御する制御機能と、
を前記コンピュータで実現することを特徴とするプログラム。
【発明の詳細な説明】
【技術分野】
【０００１】
本発明は無線通信システムに係り、特に基地局の無線パラメータを制御する方法および装置、ネットワーク運用管理装置ならびに無線基地局に関する。
【背景技術】
【０００２】
近年、オペレーションコスト（ＯＰＥＸ）削減の観点などから、セルラシステムなどの無線通信システムにおける無線パラメータやネットワーク設定の最適化を自律的に行うＳＯＮ（Self Organizing Network）の検討が盛んに行われている。３ＧＰＰ(3rd Generation Partnership Project)  ＬＴＥ（Long Term Evolution）においてもＳＯＮ機能の標準化が行われている（非特許文献１）。【０００３】
ＳＯＮには、
・自己構成（Self-Configuration）
・自己最適化（Self-Optimization）
・自己修復（Self-Healing）【０００４】
などの機能があり、それぞれ異なった目的を達成するための技術である。この中で自己最適化の種類としては、セルのカバレッジ最適化や容量（キャパシティ）の最適化（Coverage and Capacity Optimization:ＣＣＯ）、ハンドオーバパラメータの最適化（Mobility Robustness Optimization:ＭＲＯ）、負荷分散の最適化（Mobility Load Balancing：ＭＬＢ）などがある（非特許文献２）。【０００５】
ＳＯＮでは、端末から報告される無線品質情報や基地局で集計される通信品質統計情報を用いて問題点を認識し、その問題点が改善されるように基地局の無線パラメータを自律的に最適化する。端末から報告される情報としては、３ＧＰＰで規定されたものが用いられるが、現在検討されているＳＯＮの多くは、無線接続状態（RRC Connected状態）にある端末で測定された無線品質が用いられる。【０００６】
一方、無線ネットワークの運用管理に関わる走行試験をできる限り抑える(最小化する)ことを目的に、３ＧＰＰのRelease 10では、ＭＤＴ(Minimization of Drive Test)が新たに規定された。ＭＤＴには、無線接続状態にある端末が測定および報告を行う即時報告モード(Immediate MDT)と、アイドル状態（RRC Idle状態）にある端末が測定結果を記録し無線接続状態になった時に報告する記録報告モード(Logged MDT)と、が規定されている。また、測定対象である情報は、無線品質情報だけでなく、測定端末の位置情報(たとえばGPS(Global Positioning System)などのGNSS(Global Navigation Satellite System)情報)も含まれる。【０００７】
したがって、ＳＯＮでは、即時報告モードあるいは記録報告モードで端末が測定した無線品質情報に基づいて基地局パラメータを最適化することができる。
【先行技術文献】
【非特許文献】
【０００８】
【非特許文献１】3GPP TS36.300ｖ10.5.0, section 22（インターネット<URL> http:www.3gpp.org/ftp/Specs/html-info/36300.htm）
【非特許文献２】3GPP TR36.902 v9.3.0（インターネット<URL> http:www.3gpp.org/ftp/Specs/html-info/36902.htm）
【発明の概要】
【発明が解決しようとする課題】
【０００９】
しかしながら、基地局が設置される環境は様々であり、セル内に高層ビル等の障害物があると、電波が届きにくい場所（不感地）が生じうる。このような不感地を考慮しない無線品質情報に基づいて一律にセルの最適化制御を行っても、不感地が解消されるとは限らず、結果的にセルの最適化が達成されない場合がある。【００１０】
そこで、本発明の目的は、不感地を考慮した最適化制御を可能にする無線パラメータ制御方法および装置、ネットワーク運用管理装置ならびに無線基地局を提供することにある。
【課題を解決するための手段】
【００１１】
本発明による無線パラメータ制御装置は、無線基地局の無線パラメータを制御する無線パラメータ制御装置であって、アイドル状態の無線端末を含む複数の無線端末で測定されたデータを分析して前記無線基地局が制御する無線セル内の不感地を検出する測定データ分析手段と、前記不感地に関する情報に基づいて前記無線基地局の無線パラメータを制御する制御手段と、を有することを特徴とする。
本発明による無線パラメータ制御方法は、無線基地局の無線パラメータを制御する方法であって、測定データ分析手段が、アイドル状態の無線端末を含む複数の無線端末で測定されたデータを分析して前記無線基地局が制御する無線セル内の不感地を検出し、制御手段が、前記不感地に関する情報に基づいて前記無線基地局の無線パラメータを制御する、ことを特徴とする。
本発明によるネットワーク運用管理装置は、複数の無線基地局を管理するネットワーク運用管理装置であって、無線基地局におけるアイドル状態の無線端末を含む複数の無線端末で測定されたデータを分析して前記無線基地局が制御する無線セル内の不感地を検出する測定データ分析手段と、前記不感地に関する情報に基づいて前記無線基地局の無線パラメータを制御する制御手段と、を有することを特徴とする。
本発明による無線基地局は、無線セルを制御する無線基地局であって、前記無線セル内のアイドル状態の無線端末を含む複数の無線端末で測定されたデータを分析し前記無線セル内の不感地を検出する測定データ分析手段と、前記不感地に関する情報に基づいて自局の無線パラメータを制御する制御手段と、を有することを特徴とする。
【発明の効果】
【００１２】
本発明によれば、無線セル内の無線端末により測定されたデータを用いて当該セルの不感地を検出し、不感地に関する情報に基づいて基地局の無線パラメータを制御する
【図面の簡単な説明】
【００１３】
【図１】図１は本発明の実施形態を適用した無線通信システムの概略的構成を示すネットワーク図である。
【図２】図２は本発明の第１実施形態による無線パラメータ制御システムの機能的構成を示すブロック図である。
【図３】図３は本実施形態における測定データ格納部のデータ構成例を示す模式図である。
【図４】図４は本発明の第１実施例による無線パラメータ制御方法を示すフローチャートである。
【図５】図５は本発明の第２実施例による無線パラメータ制御方法を示すフローチャートである。
【図６】図６は第２実施例における位置に基づく制御の一例を説明するためのアンテナ放射方向を示す模式図である。
【図７】図７は本発明の第３実施例による無線パラメータ制御方法を示すフローチャートである。
【図８】図８（Ａ）は不感地を有するセルの構成を示す模式図であり、図８（Ｂ）は第３実施例における大きさに基づく制御の一例を説明するための不感地の表示例を示す模式図である。
【図９】図９は本発明の第２実施形態による無線パラメータ制御システムの機能的構成を示すブロック図である。
【図１０】図１０は本発明の第４実施例による無線パラメータ制御方法を示すフローチャートである。
【図１１】図１１は本発明の第４実施例における無線パラメータ変更値決定方法の一例を示す模式図である。
【図１２】図１２は本発明の第３実施形態によるネットワーク運用管理装置の機能的構成を示すブロック図である。
【図１３】図１３は本発明の第４実施形態による無線基地局の機能的構成を示すブロック図である。
【発明を実施するための形態】
【００１４】
本発明の実施形態によれば、セル内を移動する端末により測定されたデータを用いて当該セルの不感地を検出し、不感地に関する情報に基づいて基地局の無線パラメータを制御する。これにより不感地を考慮した基地局パラメータの最適化が可能となる。以下、本発明の実施形態および実施例について図１に示す無線通信システムを一例として詳細に説明する。
【００１５】
図１において、本発明の一実施形態による無線パラメータ制御装置１０は、測定データ格納部１１に格納されている測定データを用いて、各無線基地局２０に対して最適化された無線パラメータを決定する。各無線基地局２０が管理するセルには無線接続状態の端末やアイドル状態の端末が存在し、接続状態の端末は即時報告モード(Immediate MDT)で測定データを当該無線基地局へ報告し、アイドル状態の端末は記録報告モード(Logged MDT)で測定データを記録し、無線接続したときに測定データを当該無線基地局へ報告することができる。以下の説明では、無線基地局２０が管理するセル２０ａ内に不感地２１が存在するものとし、アイドル状態の端末３０が不感地２１を通過し、その際の測定データ（測定ログの取得を休止した記録）が後で無線基地局２０へ報告されるものとする。なお、図１に示す複数の無線セルは互いに隣接してもよく、あるいは１つの無線セルが他の無線セル内に設けられたスモールセルであってもよい。また、端末は無線基地局と無線接続可能な移動局あるいはユーザ機器(User Equipment)等であり、たとえば携帯電話、携帯情報端末などである。
【００１６】
このように各端末から報告された測定データは、各無線基地局により測定されたデータも含めて、無線パラメータ制御装置１０により収集され、測定データ格納部１１に格納される。あるいは、無線パラメータ制御装置１０とは別に設けられた測定データ収集装置１２が各無線基地局から測定データを収集し、測定データ格納部１１に格納してもよい。また、測定データ格納部１１は、無線パラメータ制御装置１０とは別に設けられてもよいし、無線パラメータ制御装置１０内に設けられてもよい。
【００１７】
また、無線パラメータ制御装置１０が複数の無線基地局を管理するネットワーク運用管理装置（図示せず。）に設けられてもよい。あるいは、１つのネットワーク運用管理装置あるいはＳＯＮサーバが無線パラメータ制御装置１０、測定データ格納部１１および測定データ収集装置１２の機能を備えることもできる。あるいは、無線パラメータ制御装置１０が無線基地局２０に設けられ、無線基地局２０が無線パラメータ制御機能を備えてもよい。
【００１８】
１．第１実施形態
図２に示すように、本発明の第１実施形態による無線パラメータ制御装置１０は、測定データ分析部１０１および無線パラメータ制御部１０２を機能として備える。測定データ分析部１０１は、選択されたセルの測定データを測定データ格納部１１から取得して分析し、この分析結果に基づいて、無線パラメータ制御部１０２は当該セルの無線パラメータを制御する。なお、無線制御装置１０にコンピュータ（CPU: Central Processing Unit）およびプログラムを格納する記憶装置が設けられていれば、プログラムをコンピュータ上で実行することにより、上記測定電他分析部１０１および無線パラメータ制御部１０２と同様の機能を実現することもできる。
【００１９】
＜測定データ＞
図３は測定データの一例である。図３に例示するように、測定データ格納部１１には、測定位置および測定時間のデータが、無線セル、無線アクセス方式、周波数帯域、複数の端末で測定されたパイロット信号(またはリファレンス信号)の受信信号レベル（受信電力）および受信品質と共に格納されている。
【００２０】
受信信号レベルは、例えばLTEの場合ではRSRP(Reference Signal Received Power)、UMTSの場合ではRSCP(Received Signal Code Power)である。受信品質は、パイロット信号(またはリファレンス信号)の受信信号品質であり、例えばLTEの場合ではRSRQ(Reference Signal Received Quality)、UMTSの場合ではEc/No(The received energy per chip divided by the power density)である。
【００２１】
測定位置としては、例えば、緯度・経度、またはUTM(Universal Transverse Mercator)座標系や19座標系におけるx, y座標であり、さらにz座標(標高情報)を含むことが好ましい。さらに、位置情報の信頼性に関する情報を含んでいても良い。位置情報の信頼性に関する情報とは信頼区間や信頼度などが挙げられる。
【００２２】
上記受信信号レベルの測定位置に関するデータが利用できない場合には、複数の無線セルに対するパイロット信号(またはリファレンス信号)の受信信号レベル、上記無線セルの基地局アンテナ位置、パイロット信号(またはリファレンス信号)の送信信号レベル等の情報を用いて位置を推定することもできる。具体的には、上記した送信信号レベルと受信信号レベルとの差から、基地局アンテナ位置と端末との間のパスロスを算出する。このパスロスが基地局アンテナ位置と端末との間の距離に比例するものと仮定し、３点測量により位置を特定する。
【００２３】
また、測定位置に関するデータが利用できず、さらに受信信号レベルも取得できないような場合には、当該測定とは別の測定時刻に測定された位置情報を用いて位置を推定してもよい。たとえば、当該測定の直前に取得された位置情報と当該測定の直後に取得された位置情報とを用い、その平均を当該測定が実施された位置とする。
【００２４】
なお、測定データは、接続状態にある端末だけでなく、アイドル状態にある端末で測定されたデータも含む。上述したように、アイドル状態にある端末からの測定データは記録報告モード機能により取得できる。
【００２５】
＜測定データ分析およびパラメータ制御＞
測定データ分析部１０１は、上述した測定データから不感地の存在、不感地の地理的特性等を検出し、この分析結果に基づいて、無線パラメータ制御部１０２は当該セルの無線パラメータ（たとえば送信電力、アンテナチルト角、水平方向ビーム角などのアンテナビーム角）を制御する。ここで、不感地の地理的特性とは、具体的には不感地の位置、大きさ等のことである。さらに、不感地の大きさとは、時間率(測定時間の中で不感地にいた時間の割合)または場所率(エリア全体の中での不感地の割合)のことである。
【００２６】
以下、測定データ分析部１０１による不感地の特定（第１実施例）、不感地の位置の検出（第２実施例）および不感地の大きさの検出（第３実施例）と、それらの検出結果に基づいた無線パラメータ制御部１０２による無線パラメータ制御について図面を参照しながら詳細に説明する。
【００２７】
１．１）第１実施例
本発明の第１実施例による無線パラメータ制御装置１０では、測定データ分析部１０１が測定データを分析し不感地の存在を把握する。
【００２８】
例えば、記録報告モードの測定データに、不感地に侵入したために一時的に測定ログの取得を休止したことを示す内容が含まれていれば、測定データ分析部１０１は当該測定データの測定地点に不感地が含まれているものと認識する。その際、当該不感地に侵入する直前の、または当該不感地から脱出した直後のパイロット信号(またはリファレンス信号)の受信信号レベルが最も大きい無線セルを当該不感地を含むセルとして認識する。
【００２９】
あるいは、測定データにおいて、全ての無線セルに対してパイロット信号(またはリファレンス信号)の受信信号レベル(あるいは受信信号品質)が所定値未満である内容が含まれている場合、当該測定データの測定地点に不感地が含まれているものと認識する。この場合も、各測定に対して、パイロット信号(またはリファレンス信号)の受信信号レベルが最も大きな無線セルを当該不感地が発生したセルとして認識する。
【００３０】
無線パラメータ制御部１０２は、測定データ分析部１０１で把握された不感地に基づいて無線パラメータの変更値を決定する。例えば、ある無線セルにおいて不感地が発生している場合、当該無線セルの送信電力を増大させるように、あるいはアンテナチルト角を上向きにする(アップチルトする)方向に移動させるように無線パラメータを制御する。
【００３１】
図４において、無線パラメータ制御装置１０は、まず管轄下の無線セルから一つの無線セルを選択し（動作Ｓ２０１）、当該無線セルをサービングセル(Serving Cell)とする測定データあるいは当該無線セルのパイロット信号(またはリファレンス信号)の受信信号レベルが最も大きな測定データを収集する（動作Ｓ２０２）。なお、取得する測定データには、これらの測定データの前後に測定された測定データを含んでもよい。
【００３２】
続いて、測定データ分析部１０１は、上述したように測定データを分析することで当該無線セル内の不感地の存在を把握する。無線パラメータ制御部１０２は、不感地が発生していれば（動作Ｓ２０４；ＹＥＳ）、当該不感地を解消するように無線パラメータの変更値を決定する（動作Ｓ２０５）。具体的には、例えば当該無線セルの送信電力を増大させるか、アンテナチルト角をアップチルトする。不感地がなければ（動作Ｓ２０４；ＮＯ）、処理を終了する。
【００３３】
１．２）第２実施例
本発明の第２実施例による無線パラメータ制御装置１０では、測定データ分析部１０１が測定データを分析し不感地の位置を把握する。
【００３４】
図５において、無線パラメータ制御装置１０は、上述した図４の動作Ｓ２０１およびＳ２０２と同様に、選択した無線セルに関する測定データを取得し（動作Ｓ３０１、Ｓ３０２）、続いて、測定データ分析部１０１が測定データを分析することで当該セルにおける不感地の位置を把握する（動作Ｓ３０３）。具体的には、測定データに含まれる位置情報を用いる。不感地に広がりがある場合は、代表点として例えばその重心を用いる。
【００３５】
続いて、無線パラメータ制御部１０２は、不感地が発生していれば（動作Ｓ３０４；ＹＥＳ）、不感地の位置を考慮し、当該不感地を解消するように無線パラメータの変更値を決定する（動作Ｓ３０５）。例えば、基地局アンテナの主軸が当該不感地の方角に向かうように基地局アンテナのアンテナチルト角および／または水平方向ビーム角を制御する。このアンテナビーム角の制御について説明する。
【００３６】
＜アンテナビーム角制御＞
図６に示すように、無線セル２０ａの基地局アンテナ２０から不感地２１に向かう方位（仰俯角θ１)を、次式を用いて算出する
【００３７】
【数１】
2014162711.tif 000003
ここで、(xBS, yBS, zBS)は基地局アンテナ位置、(xDS, yDS, zDS)は不感地の位置である。なお、水平方位はｙ軸性方向(北)を０度としてｘ軸性方向(東)が正、垂直方位は水平を０度として下方が正である。
【００３８】
現行のアンテナチルト角(仰俯角)（アンテナゲインが最大となる垂直方向の角度）をθ２としたとき、θ１<θ２であればアップチルト、 θ１>θ２であればダウンチルトを行う。
【００３９】
１．３）第３実施例
本発明の第３実施例による無線パラメータ制御装置１０では、測定データ分析部１０１が測定データを分析し不感地の大きさを把握する。
【００４０】
図７において、無線パラメータ制御装置１０は、上述した図４の動作Ｓ２０１およびＳ２０２と同様に、選択した無線セルに関する測定データを取得し（動作Ｓ４０１、Ｓ４０２）、続いて、測定データ分析部１０１が測定データを分析することで当該セルにおける不感地の大きさを把握する（動作Ｓ４０３）。不感地の大きさは、たとえば時間率(測定時間の中で不感地にいた時間の割合)または場所率(エリア全体の中での不感地の割合)により把握できる。
【００４１】
続いて、不感地の大きさが所定値以上であるか否かを判定し（動作Ｓ４０４）、不感地の大きさが所定値以上であれば（動作Ｓ４０４；ＹＥＳ）、第１実施例と同様に、当該不感地を解消するように無線パラメータの変更値を決定する（動作Ｓ４０５）。具体的には、例えば当該無線セルの送信電力を増大させるか、アンテナチルト角をアップチルトする。不感地がなければ（動作Ｓ４０４；ＮＯ）、処理を終了する。
【００４２】
なお、第２実施例による位置に基づく制御と第３実施例による大きさに基づく制御とを組み合わせて無線パラメータ制御を行うこともできる。
【００４３】
＜時間率による不感地の大きさの把握＞
不感地の大きさを時間率により把握する場合、測定データ分析部１０１は、測定データの時刻情報を用いて、測定端末が不感地に存在していた時間(不感地時間)を求め、続いて、全測定時間に対する不感地時間の長さを計算することで求めた不感地の時間率を不感地の大きさの指標とする。
【００４４】
＜場所率による不感地の大きさの把握＞
図８（Ａ）に示す実際のセル２０ａに不感地２１および２２が存在するものとする。また、図８（Ｂ）に示すように、不感地の大きさを場所率により把握する場合、測定データ分析部１０１は、無線セル２０ａがカバーするエリアをグリッドに分割し、不感地２１が所定の個数(または割合)以上発生しているグリッドを求める。図８（Ａ）に示す実際のセル２０ａに不感地２１および２２が存在すれば、図８（Ｂ）に示すように、それらに対応する不感地グリッド２１ａおよび２２ａを特定することができる。したがって、無線セル２０ａの全エリアのグリッド数に対する不感地グリッド２１ａおよび２２ａの各々の個数を不感地の大きさ（場所率）として求めることができる。
【００４５】
１．４）効果
以上述べたように、本発明の第１〜第３実施例によれば、端末が測定したデータから不感地の存在や不感地の地理的特性等を検出し、この分析結果に基づいて当該セルの無線パラメータ（送信電力やアンテナビーム角など）を制御することで、不感地を効果的に解消することができる。
【００４６】
２．第２実施形態
図９に示すように、本発明の第２実施形態による無線パラメータ制御装置１０ａは、測定データ分析部１０１、無線パラメータ制御部１０２ａおよび受信信号レベル推定部１０３の機能を備える。測定データ分析部１０１は図１に示す第１実施形態と同様であるから説明は省略する。
【００４７】
受信信号レベル推定部１０３は、無線セルの無線パラメータ変更後の受信信号レベルを推定する機能を有し、具体的には無線パラメータ変更後の不感地における受信信号レベルを推定する。無線パラメータ制御部１０２ａは、測定データ分析部１０１の分析結果に基づいて当該セルの無線パラメータの変更候補値を生成し、受信信号レベル推定部１０３により推定されたパラメータ変更後の不感地での受信信号レベルを参照しながら無線パラメータ変更値を決定する。
【００４８】
以下、測定データ分析部１０１が不感地の特定（第１実施例）および／または不感地の位置の検出（第２実施例）を行うものとして、それらの検出結果に基づいた無線パラメータ制御部１０２ａによる無線パラメータ制御（第４実施例）について図面を参照しながら説明する。
【００４９】
２．１）第４実施例
図１０において、本発明の第４実施例による無線パラメータ制御装置１０ａは、上述した図５の動作Ｓ３０１〜Ｓ３０３と同様に、選択した無線セルに関する測定データを取得し（動作Ｓ５０１、Ｓ５０２）、続いて、測定データ分析部１０１が測定データを分析することで当該セルにおける不感地の位置を把握する（動作Ｓ５０３）。
【００５０】
続いて、無線パラメータ制御部１０２ａは、不感地が発生していれば（動作Ｓ５０４；ＹＥＳ）、不感地の位置を考慮して無線パラメータの変更候補値を決定する（動作Ｓ５０５）。例えば、基地局アンテナの主軸が当該不感地の方角に向かうように基地局アンテナのアンテナチルト角および／または水平方向ビーム角の候補値を決定する。これらの候補値は受信信号レベル推定部１０３へ渡される。
【００５１】
受信信号レベル推定部１０３は、測定データ分析部１０１により検出された不感地の位置情報と無線パラメータの変更候補値とを用いて、無線パラメータの変更候補値を適用した場合の不感地における受信信号レベルを次のように推定する。
【００５２】
無線パラメータ変更前の不感地における受信信号レベルをRSRP_0とし、送信出力を現在のP_0からP_1に変更した場合、当該不感地における受信信号レベルRSRP_1は送信電力変更分だけ変動するものとして次式により推定できる。
【００５３】
RSRP_1 = RSRP_0 + (P_1 - P_0)
【００５４】
無線パラメータ制御部１０２ａは、全ての無線パラメータ変更候補値に対する受信信号レベルの推定値に基づき、不感地が最も解消されるような無線パラメータの変更候補値を最終的な変更値として決定する（動作Ｓ５０６）。なお、受信信号レベル推定の結果、当該不感地が解消されない(すなわち、全ての変更候補値に対して不感地の受信信号レベルが所定値に到達しない)ことが判明した場合には、無線パラメータの変更を行わなくてもよい。次に、アンテナビームのチルト角の設定を一例として、無線パラメータ変更値の決定方法について説明する。
【００５５】
まず、無線パラメータ（アンテナビーム設定）の変更候補iにおいて、所定期間に所定のセルで測定された測定データのうちの１つの測定データnに対して、当該アンテナビーム設定変更に対する受信信号レベルの推定値をRSRPn_iとする。この場合、所定期間に所定のセルで測定された全ての測定データに対する平均の受信信号レベルは次式で求めることができる。
【００５６】
【数２】
2014162711.tif 000004
【００５７】
この式の値を指標とし、全ての変更候補の指標のうち最も高い指標を与えた変更候補を、アンテナビーム設定の変更値として決定する。図１１に示す簡単な例を用いて説明する。
【００５８】
図１１に示すように、基地局２０は所定のアンテナゲインパタンを有しており、端末３１および３２が基地局２０のアンテナに対してそれぞれ所定の位置にあるものとする。また、無線パラメータ変更候補Ａでは基地局２０のアンテナ府角がθＡ、無線パラメータ変更候補Ｂでは基地局２０のアンテナ府角がθＢで、θＡ＜θＢであるとする。
【００５９】
この場合、図１１に示すようなアンテナゲインパタンでは、無線パラメータ変更候補Ａに設定すると、端末３１の受信電力RSRP1_Aは非常に小さく（すなわち不感地が生じる。）、端末３２の受信電力RSRP2_Aは十分に大きくなり、無線パラメータ変更候補Ｂに設定すると、端末３１の受信電力RSRP1_Aも端末３２の受信電力RSRP2_Aもある程度良好になる。したがって、このケースでは、上記式の指標を用いて計算すると、次式のように無線パラメータ変更候補ＡよりもＢの方が指標の値が大きくなり、無線パラメータ変更候補Ｂを変更値として決定することができる。
【００６０】
【数３】
2014162711.tif 000005
【００６１】
２．２）効果
以上述べたように、本発明の第４実施例によれば、端末が測定したデータから不感地の有無や不感地の地理的特性等を検出し、この分析結果に基づいて当該セルの無線パラメータ変更候補を算出し、それぞれの変更候補を設定した場合の端末側の受信信号レベルを推定することで、不感地解消の効果が最も高い無線パラメータ変更候補を変更値として決定することができ、より効果的な不感地解消が可能となる。
【００６２】
２．３）その他実施例
第４実施例で用いた受信信号レベル推定方法の他に、電波伝搬推定方法を用いて、無線セルの無線パラメータを変更したときの受信信号レベルを推定することもできる。具体的には、統計論的手法(秦式、坂上式、ITU-R P.1546など)や決定論的手法(レイトレーシング法など)を用いることができる。
【００６３】
３．第３実施形態
図１２に示すように、無線通信システムの無線基地局を管理するネットワーク運用管理装置６００が上述した無線パラメータ制御装置１０あるいは１０ａおよび測定データ格納部１１、更に測定データ収集装置１２を含んでもよい。基本的な動作は上記第１〜第４実施例と同様であるから説明は省略する。
【００６４】
４．第４実施形態
図１３に示すように、無線通信システムの無線基地局７００は無線端末との無線接続のための無線送受信器１３に加えて、上述した無線パラメータ制御装置１０あるいは１０ａおよび測定データ格納部１１、更に測定データ収集装置１２を含んでもよい。基本的な動作は上記第１〜第４実施例と同様であるから説明は省略する。
【産業上の利用可能性】
【００６５】
本発明は無線通信システムにおいて基地局の無線パラメータを制御するシステムに適用可能である。
【符号の説明】
【００６６】
１０、１０ａ  無線パラメータ制御装置
１１  測定データ格納部
１２  測定データ収集装置
２０  無線基地局
２０ａ  セル
２１、２２  不感地
２１ａ、２２ａ  不感地グリッド
３０、３１、３２  端末
１０１  測定データ分析部
１０２、１０２ａ  無線パラメータ制御部
１０３  受信信号レベル推定部
【図１】
2014162711.tif 000006
【図２】
2014162711.tif 000007
【図３】
2014162711.tif 000008
【図４】
2014162711.tif 000009
【図５】
2014162711.tif 000010
【図６】
2014162711.tif 000011
【図７】
2014162711.tif 000012
【図８】
2014162711.tif 000013
【図９】
2014162711.tif 000014
【図１０】
2014162711.tif 000015
【図１１】
2014162711.tif 000016
【図１２】
2014162711.tif 000017
【図１３】
2014162711.tif 000018
【国際調査報告】
2014162711.tif 000019
2014162711.tif 000020
2014162711.tif 000021
2014162711.tif 000022